(57)【要約】【課題】  ディスク装置の長寿命化がトータルに図られた機器を提供する。【解決手段】  タイマによる計測時間が所定時間を越えたことを受けて、第１電源および第２電源からの電力を遮断させ、第１電源および第２電源からの電力が遮断されている場合であって、かつ今回処理するタスクについてディスク装置を使用するとの判定がなされた場合には第１電源および第２電源からの電力を供給させ、第１電源および第２電源からの電力が遮断されている場合であって、かつ今回処理するタスクについてディスク装置は不使用との判定がなされた場合には第１電源からの電力は供給させるものの第２電源からの電力は遮断したままにさせる電力供給制御部とを備えた。【選択図】        図１
2007279953.tif 000002
【特許請求の範囲】
【請求項１】
内蔵するディスク上に進出して該ディスクとの間でデータの読み書きを行うロード位置と該ロード位置から離間したアンロード位置との間で移動するヘッドを有するディスク装置、および電気回路部を備えた、処理の単位であるタスクの発生を受けて該タスクを処理する機器において、
前記ディスク装置が、少なくとも電力の供給があったときは前記ヘッドを前記アンロード位置から前記ロード位置へ移動させ、少なくとも電力の遮断があったときは前記ヘッドを前記ロード位置から前記アンロード位置へ移動させるものであって、
前記電気回路部を動作させるための電力を供給する第１電源と、
前記ディスク装置を動作させるための電力を供給する第２電源と、
前回のタスク処理終了から次のタスクが発生するまでの経過時間を計測するタイマと、
タスクが前記ディスク装置を使用するものであるか否かを判定する判定部と、
前記タイマによる計測時間が所定時間を越えたことを受けて、前記第１電源および前記第２電源からの電力を遮断させ、前記第１電源および前記第２電源からの電力が遮断されている場合であって、かつ今回処理するタスクについて前記判定部により前記ディスク装置を使用するとの判定がなされた場合には前記第１電源および前記第２電源からの電力を供給させ、前記第１電源および前記第２電源からの電力が遮断されている場合であって、かつ今回処理するタスクについて前記判定部により前記ディスク装置は不使用との判定がなされた場合には第１電源からの電力は供給させるものの第２電源からの電力は遮断したままにさせる電力供給制御部とを備えたことを特徴とする機器。
【請求項２】
外部機器との間でデータを送受信するＬＡＮポートを備え、
前記判定部は、今回処理するタスクが前記ＬＡＮポートへの外部機器からのデータの送信を伴うタスクであった場合に、該タスクが前記ディスク装置を使用するタスクであるとの判定を行うものであることを特徴とする請求項１記載の機器。
【発明の詳細な説明】
【技術分野】
【０００１】
本発明は、ディスク装置を備えた機器に関する。
【背景技術】
【０００２】
従来より、外部から送信されてくる画像データに基づいて画像形成を行う、ディスク装置を備えた画像形成装置のなかには、このディスク装置による電力消費を抑えるため、所定時間以上画像形成指示がない場合には、外部からの画像データを受信するポートであるＩ／Ｆ（インターフェイス）回路等への電力供給は引き続き行うものの、ディスク装置への電力を遮断する、いわゆる省電力モードを有するものがあることが知られている。
【０００３】
ところで、ディスク装置に内蔵された記録媒体であるディスクとの間でデータのリードおよびライトを行うヘッドは、ディスク装置への電力供給および遮断によっても、所定のアンロード位置とロード位置との間で移動する消耗品であり、ディスク装置メーカーでは、これらアンロード位置とロード位置との間でのヘッドの移動回数について基準移動回数を設定してディスク装置の機能保証の目安としている。
【０００４】
上述したようなディスク装置を備えた画像形成装置については、ヘッドの移動回数が基準移動回数を越えると、ディスク装置の交換を要求するメッセージ等を表示すると共に、本来であれば省電力モードに移行する場面であってもディスク装置への電力を遮断させないことでヘッドの移動を少しでも抑制し、ヘッドの移動回数が基準移動回数を越えてしまっているディスク装置の故障の発生を極力遅らせる提案がなされている（特許文献１参照）。
【特許文献１】特開２００４−１５７９６１号公報
【発明の開示】
【発明が解決しようとする課題】
【０００５】
しかしながら、上記提案は、ヘッドの移動回数が基準移動回数を越えたディスク装置の延命措置にすぎず、ディスク装置の長寿命化への寄与度は低いと言わざるを得ない。
【０００６】
この、ディスク装置の長寿命化は、画像形成装置に備えられたディスク装置についてのみの要求されるものではなく、あらゆる機器に備えられたディスク装置について要求される事項である。
【０００７】
本発明は、上記事情に鑑み、ディスク装置の長寿命化がトータルに図られた機器を提供することを目的とする。
【課題を解決するための手段】
【０００８】
上記目的を達成するための本発明の機器は、
内蔵するディスク上に進出してこのディスクとの間でデータの読み書きを行うロード位置とこのロード位置から離間したアンロード位置との間で移動するヘッドを有するディスク装置、および電気回路部を備えた、処理の単位であるタスクの発生を受けてこのタスクを処理する機器において、
上記ディスク装置が、少なくとも電力の供給があったときは上記ヘッドを上記アンロード位置から上記ロード位置へ移動させ、少なくとも電力の遮断があったときは上記ヘッドを上記ロード位置から上記アンロード位置へ移動させるものであって、
上記電気回路部を動作させるための電力を供給する第１電源と、
上記ディスク装置を動作させるための電力を供給する第２電源と、
前回のタスク処理終了から次のタスクが発生するまでの経過時間を計測するタイマと、
タスクが上記ディスク装置を使用するものであるか否かを判定する判定部と、
上記タイマによる計測時間が所定時間を越えたことを受けて、上記第１電源および上記第２電源からの電力を遮断させ、上記第１電源および上記第２電源からの電力が遮断されている場合であって、かつ今回処理するタスクについて上記判定部により上記ディスク装置を使用するとの判定がなされた場合には上記第１電源および上記第２電源からの電力を供給させ、上記第１電源および上記第２電源からの電力が遮断されている場合であって、かつ今回処理するタスクについて上記判定部により上記ディスク装置は不使用との判定がなされた場合には第１電源からの電力は供給させるものの第２電源からの電力は遮断したままにさせる電力供給制御部とを備えたことを特徴とする。
【０００９】
本発明の機器では、いわゆる省電力モードにあることで電力が遮断されているディスク装置に対し、タスクが発生したからといって闇雲にディスク装置に電力供給を再開するようなことはせず、発生したタスクがディスク装置を使用するタスクの場合に、ディスク装置への電力供給が行われるようになっている。したがって、本発明の機器によれば、ディスク装置の長寿命化をトータルに図ることができる。尚、本発明にいうディスク装置には、ディスクを回転させるモータのオンオフによりロード位置とアンロード位置との間におけるヘッドの移動が行われるものが概念的に含まれている。
【００１０】
ここで、外部機器との間でデータを送受信するＬＡＮポートを備え、
上記判定部は、今回処理するタスクが上記ＬＡＮポートへの外部機器からのデータの送信を伴うタスクであった場合に、このタスクが上記ディスク装置を使用するタスクであるとの判定を行うものであることが好ましい。
【００１１】
この様にすると、発生したタスクがディスク装置を使用するタスクであるか否かの判定を簡易に行うことができる。
【発明の効果】
【００１２】
本発明の機器によれば、ディスク装置の長寿命化をトータルに図ることができる。
【発明を実施するための最良の形態】
【００１３】
以下、本発明の実施形態について説明する。
【００１４】
図１は、本発明の機器の一実施形態であるプリンタの概略ブロック図である。
【００１５】
図１に示すプリンタ１は、このプリンタ全体を制御するコントローラ１０、プリント処理を実際に行うプリント部２０、液晶パネルなどからなるコンパネ部３０、外部から供給された電力を５Ｖでプリンタ１の各部に供給する電源部４０、電源部４０からの電力の、プリンタ各部への供給および遮断を制御する電源スイッチ５０、および、ディスク装置６０で構成された、外部から送信されてきた画像データに基づいてプリント処理を行うプリンタである。
【００１６】
また、図１に示すプリンタ１は、所定時間以上タスクが発生しない場合には、ディスク装置などへの電力供給を遮断する省電力モードを有する。このプリンタ１では、省電力モードにある場合に発生したタスクがディスク装置６０を使用するタスクか否かを、いずれの通信ポートが使用されたかで判定し、発生したタスクがディスク装置６０を必要としないタスクであると判定した場合には、ディスク装置６０への電力は遮断したままで、その他の部分への電力供給は再開する。
【００１７】
コントローラ１０は、タスク処理終了後次のタスクが発生するまでの経過時間を計測するタイマ１１０と、ＣＰＵ１０１と、ＲＡＭ１０２と、ＲＯＭ１０３と、詳しくは後述するが、タスクが所定時間以上発生しない場合に省電力のために電力供給が遮断される省電力対象部１０４と、省電力モード中も電力供給が維持される、外部機器との間の通信用インターフェースであるＨｏｓｔ回路部１０５と、ＲＡＭ１０２およびＲＯＭ１０３が接続されたメモリＢｕｓ１０６と、Ｈｏｓｔ回路部１０５が接続された第１Ｂｕｓ１０７と、省電力対象部１０４が接続された第２Ｂｕｓ１０８と、これらＢｕｓとＣＰＵ１０１との間を仲介するＢｕｓＢｒｉｄｇｅ１０９とで構成されている。
【００１８】
また、コントローラ１０は、電源スイッチ５０のオンにより電源部４０から供給された５Ｖの電力を３．３Ｖに降圧するＤＣ−ＤＣ回路１１１と、このＤＣ−ＤＣ回路１１１と省電力対象部１０４との間に備えられた第１スイッチ１１２と、電源スイッチ５０のオンにより電源部４０から供給された５Ｖの電力の、ディスク装置６０への供給を制御する第２スイッチ１１３とで構成されている。
【００１９】
Ｈｏｓｔ回路部１０５は、ＬＡＮケーブルとの間のポートであるＬＡＮポート１０５ａ、ＵＳＢケーブルとの間のポートであるＵＳＢポート１０５ｂ、ＩＥＥＥ１２８４ケーブルとの間のポートである‘１２８４’ポート１０５ｃ、ディスク装置６０との間のポートであるディスクポート１０５ｄ、および、第１スイッチ１１２と第２スイッチ１１３を制御する電源制御回路１０５ｅで構成されている。
【００２０】
省電力対象部１０４は、プリント部２０を制御するＶｉｄｅｏ回路１０４ａ、および、コンパネ部３０を制御するＵＩ回路１０４ｂで構成されている。
【００２１】
このプリンタ１では、ＤＣ−ＤＣ回路１１１で５Ｖから３．３Ｖにまで降圧された電力は、第１スイッチ１１２を介して省電力対象部１０４へ供給されると共に、Ｈｏｓｔ回路部１０５およびＣＰＵ１０１等の省電力対象部１０４以外の回路部へ供給されている。また、電源部４０から供給される５Ｖの電力は、第２スイッチ１１３を介してディスク装置６０に供給されるようになっている。このプリンタ１では、上述したように、タイマ１１０での経過時間が予め設定されている所定時間を越えると、Ｈｏｓｔ回路部１０５の電源制御回路１０５ｅにより、第１スイッチ１１２および第２スイッチ１１３が制御されて省電力対象部１０４およびディスク装置６０への電力は遮断される。また、省電力モードにある場合にタスクが発生すると、そのタスクがＬＡＮポート１０５ａへの外部機器からのデータの送信を伴うタスクである場合には、ディスク装置６０が使用されると判定して、省電力対象部１０４およびディスク装置６０への電力供給を再開させ、そのタスクがＬＡＮポート１０５ａ以外のポートへの外部機器からのデータの送信を伴うタスクである場合には、ディスク装置６０が使用されないと判定して、省電力対象部１０４への電力供給は再開するものの、ディスク装置６０への電力は遮断されたままとなるように第１スイッチ１１２および第２スイッチ１１３が制御されるようになっている。
【００２２】
図２は、本実施形態のプリンタが省電力モードにある場合の電力供給の様子を示す図である。
【００２３】
図２には、電源制御回路１０５ｅによる、第１スイッチ１１２および第２スイッチ１１３への制御により、省電力対象部１０４およびディスク装置６０への電力が遮断されている様子が斜線によって示されている。
【００２４】
図３は、第１スイッチおよび第２スイッチを制御する電源制御回路の回路図である。
【００２５】
図３に示す電源制御回路１０５ｅは、主に、第１出力ポートＰ１、第２出力ポートＰ２、電源投入時の第１スイッチ１１２および第２スイッチ１１３を‘ＯＮ’とする初期値設定用のＲｅｓｅｔポートＰ５、後述する態様のデータを書き込むＤａｔａポートＰ４、および、データの書き込みを許可するＷｒｉｔｅＥｎａｂｌｅポートＰ３を有するレジスタ１０５１ｅで構成されている。
【００２６】
このプリンタ１では、レジスタ１０５１ｅのＤａｔａポートＰ４に２ビットのデータ‘１１’を入力すると、第１出力ポートＰ１および第２出力ポートＰ２からの信号は‘Ｈ’となり、これにより第１スイッチ１１２および第２スイッチ１１３は共に‘ＯＦＦ’されて、省電力対象部１０４およびディスク装置６０の電力は遮断される。また、データ‘００’を入力すると、第１出力ポートＰ１および第２出力ポートＰ２からの信号は‘Ｌ’となり、これにより第１スイッチ１１２および第２スイッチ１１３はそれぞれ‘ＯＮ’されて、省電力対象部１０４およびディスク装置６０の電力供給が再開される。このプリンタ１では、省電力モードにある場合に発生したタスクがＬＡＮポート１０５ａへの外部機器からのデータの送信を伴なわないタスク、即ち、ディスク装置６０を使用しないタスクであるとすると、ＤａｔａポートＰ４にデータ‘０１’を入力する。これにより、第１出力ポートＰ１からの信号は‘Ｌ’となり、また、第２出力ポートＰ２からの信号は‘Ｈ’となることから、第１スイッチ１１２は‘ＯＮ’されるものの、第２スイッチ１１３は‘ＯＦＦ’されたままとなることから、省電力対象部１０４には電力供給が再開されるものの、ディスク装置６０への電力は遮断されたままとなる。
【００２７】
したがって、本実施形態のプリンタ１では、省電力モードにあるディスク装置６０に対し、タスクが発生したからといって闇雲に電力供給を再開するようなことはせず、発生したタスクがディスク装置６０を使用するタスクか否かを判定した上でディスク装置６０への電力供給を行うか否かが決定されている。したがって、本実施形態のプリンタ１によれば、ディスク装置６０の長寿命化をトータルに図ることができる。
【００２８】
図４は、本実施形態のプリンタの電源スイッチがオンされると起動されるルーチンのフローチャートである。
【００２９】
図４に示すステップＳ１では、第１スイッチ１１２、第２スイッチ１１３を共にオンする。ステップＳ２では、図１に示すタイマ１１０をリセットし、ステップＳ３では、このタイマ１１０をオンする。ステップＳ４では、タスクが発生したか否かを判定し、ステップＳ４において、タスクが発生していないと判定すると、ステップＳ５に進み、タイマ１１０による計測時間が所定時間Ｔを越えたか否かを判定する。ステップＳ５において、越えていないと判定すると、ステップＳ４に戻り、越えていると判定すると、ステップＳ７に進む。ステップＳ７では、第１スイッチ１１２、第２スイッチ１１３を共にオフして省電力モードに入り、ステップＳ８に進み、タスクが来るまで待機し、タスクがくれば、ステップＳ９に進む。ステップＳ９では、発生したタスクがＬＡＮポート１０５ａへの外部機器からのデータの送信を伴うタスクであるか否かを判定する。ステップＳ９において、ＬＡＮポートへのデータの送信を伴うものである、すなわちディスク装置６０を使用するタスクであると判定すると、ステップＳ１０に進み、第１スイッチ１１２、第２スイッチ１１３を共にオンし、その後、ステップＳ１１に進む。ステップＳ１１ではタスクが終了するまで待機し、タスクが終了すると、ステップＳ２に戻る。一方、ステップＳ９において、タスクがＬＡＮポートへのデータの送信を伴うものではないと判定すると、ステップＳ１２に進み、第１スイッチ１１２のみをオンし、ステップＳ１１に進む。
【００３０】
ステップＳ４において、タスクが有ると判定すると、ステップＳ６に進み、タスクが終了するまで待機し、タスクが終了したと判定すると、ステップＳ２に戻る。
【００３１】
尚、以上に説明した実施形態では、発生したタスクが、ディスク装置６０を使用するタスクであるか否かの判定を、そのタスクがＬＡＮポート１０５ａへの外部機器からのデータの送信を伴うタスクであるか否かによって行った例を挙げて説明したが、この判定を、送信されてくるデータ量に基づいて行うものであってもよい。
【図面の簡単な説明】
【００３２】
【図１】本発明の機器の一実施形態であるプリンタの概略ブロック図である。
【図２】本実施形態のプリンタが省電力モードにある場合の電力供給の様子を示す図である。
【図３】第１スイッチおよび第２スイッチを制御する電源制御回路の回路図である。
【図４】本実施形態のプリンタの電源スイッチがオンされると起動されるルーチンのフローチャートである。
【符号の説明】
【００３３】
１  プリンタ
１０  コントローラ
１０１  ＣＰＵ
１０２  ＲＡＭ
１０３  ＲＯＭ
１０４  省電力対象部
１０５  Ｈｏｓｔ回路部
１０５ａ  ＬＡＮポート
１０５ｂ  ＵＳＢポート
１０５ｃ  ‘１２８４’ポート
１０５ｄ  ディスクポート
１０５ｅ  電源制御回路
１１０  タイマ
１１１  ＤＣ−ＤＣ回路
１１２  第１スイッチ
１１３  第２スイッチ
２０  プリント部
３０  コンパネ部
４０  電源部
５０  電源スイッチ
６０  ディスク装置
【図１】
2007279953.tif 000003
【図２】
2007279953.tif 000004
【図３】
2007279953.tif 000005
【図４】
2007279953.tif 000006